(57)【要約】【課題】複数のコネクタの一方のコネクタに接続されるフレキシブルプリント基板によって他方のコネクタが覆われる場合であっても、他方のコネクタが確実にロックされているか否かを容易に確認することができる仕組み提供する。【解決手段】回路基板１００に実装され、ＦＰＣ１０１が接続されるコネクタ２０１と、コネクタ２０１に接続されたＦＰＣ１０１ロックするロック位置と前記ロックを解除するロック解除位置との間で回動可能にコネクタ２０１に支持されるロック部材２０３と、コネクタ２０１に対して、ＦＰＣ１０１の接続方向に隣接して回路基板１００に実装され、ＦＰＣ１０２がコネクタ２０１を覆うように接続されるコネクタ２０２とを備える。ロック部材２０３は、前記ロック解除位置にあるとき、コネクタ２０２とＦＰＣ１０２との接続を妨げる位置に配置される。【選択図】図３
2015022835.tif 000002
【特許請求の範囲】
【請求項１】
回路基板と、
前記回路基板に実装され、第１のフレキシブルプリント基板が接続される第１のコネクタと、
前記第１のコネクタに接続された前記第１のフレキシブルプリント基板をロックするロック位置と前記ロックを解除するロック解除位置との間で移動可能に前記第１のコネクタに支持されるロック部材と、
前記第１のコネクタに対して、前記第１のフレキシブルプリント基板の接続方向に隣接して前記回路基板に実装され、第２のフレキシブルプリント基板が前記第１のコネクタを覆うように接続される第２のコネクタと、を備え、
前記ロック部材は、前記ロック解除位置にあるとき、前記第２のコネクタと前記第２のフレキシブルプリント基板との接続を妨げる位置に配置されること特徴とする電子機器。
【請求項２】
前記第２のコネクタには、前記第１のコネクタに接続された前記第１のフレキシブルプリント基板と略平行な方向に前記第２のフレキシブルプリント基板が挿入されることを特徴とする請求項１に記載の電子機器。
【請求項３】
前記第２のコネクタには、前記第１のコネクタに接続された前記第１のフレキシブルプリント基板に対して角度を有する方向に前記第２のフレキシブルプリント基板が挿入されることを特徴とする請求項１に記載の電子機器。
【請求項４】
回路基板と、
前記回路基板に実装され、第１のフレキシブルプリント基板が接続される第１のコネクタと、
前記第１のコネクタに接続された前記第１のフレキシブルプリント基板をロックするロック位置と前記ロックを解除するロック解除位置との間で移動可能に前記第１のコネクタに支持されるロック部材と、
前記第１のコネクタに対して、前記第１のフレキシブルプリント基板の接続方向に隣接して前記回路基板に実装され、第２のフレキシブルプリント基板が少なくとも前記ロック部材を覆うように接続される第２のコネクタと、を備え、
前記第２のフレキシブルプリント基板には、前記第２のコネクタに対して前記回路基板の板厚方向に嵌合して接続される第３のコネクタが設けられ、
前記ロック部材は、前記ロック解除位置にあるとき、前記第２のフレキシブルプリント基板が前記第２のコネクタと前記第３のコネクタとの接続を妨げる位置に配置されること特徴とする電子機器。
【請求項５】
前記第２のフレキシブルプリント基板の先端部には、補強板が設けられ、前記補強板は、前記第２のコネクタに前記第２のフレキシブルプリント基板を接続した状態で、前記ロック解除位置にある前記ロック部材の少なくとも一部に重なる位置まで配置されることを特徴とする請求項１乃至４のいずれか一項に記載の電子機器。
【発明の詳細な説明】
【技術分野】
【０００１】
本発明は、例えばデジタルカメラ等の電子機器に関し、特にフレキシブルプリント基板とコネクタとの接続構造の改良に関する。
【背景技術】
【０００２】
デジタルカメラ等の電子機器では、近年の多機能かつ小型化の要請に伴い、回路基板における電子部品の実装スペースが縮小している。従来、縮小した実装スペースを効率的に活用するために、回路基板に対して複数のコネクタをフレキシブルプリント基板の接続方向に沿って互いに隣接して並列配置する技術が提案されている（特許文献１）。
【０００３】
また、コネクタとフレキシブルプリント基板との接続構造としては、例えば図８及び図９に示すものが知られている。
【０００４】
図８及び図９に示すように、回路基板１００には、コネクタ２４１，２４２が対応するフレキシブルプリント基板１４１，１４２の接続方向に沿って互いに隣接して並列配置されている。コネクタ２４１は、コネクタ２４２より基板接続方向の後側で、かつコネクタ２４２より低い位置に配置されている。
【０００５】
コネクタ２４１には、ロック部材２４３がロック解除位置とロック位置との間で回動可能に取り付けられている。フレキシブルプリント基板１４１をコネクタ２４１に接続する際には、ロック部材２４３をロック解除位置まで回動操作してコネクタ２４１のロックを解除し、コネクタ２４１の接続口にフレキシブルプリント基板１４１を挿入する。そして、挿入後、ロック部材２４３をロック位置まで回動操作することで、フレキシブルプリント基板１４１がコネクタ２４１に固定されて電気的に接続される。
【先行技術文献】
【特許文献】
【０００６】
【特許文献１】特開２００３−６９１８０号公報
【発明の概要】
【発明が解決しようとする課題】
【０００７】
しかし、上記従来技術では、コネクタ２４２にフレキシブルプリント基板１４２を接続すると、フレキシブルプリント基板１４２によってコネクタ２４１及びフレキシブルプリント基板１４１が覆われて隠れてしまう。このため、検査の際に、コネクタ２４１がロック部材２４３で確実にロックされているか否かを確認することは容易ではない。
【０００８】
また、コネクタ２４１がロック部材２４３でロックされていない状態で機器の組立工程が進んでしまうと、かかる状態が発見された後のリカバリー作業に無駄な時間を要することになる。
【０００９】
そこで、本発明は、複数のコネクタの一方のコネクタに接続されるフレキシブルプリント基板によって他方のコネクタが覆われる場合であっても、他方のコネクタが確実にロックされているか否かを容易に確認することができる仕組み提供することを目的とする。
【課題を解決するための手段】
【００１０】
上記目的を達成するために、本発明の電子機器は、回路基板と、前記回路基板に実装され、第１のフレキシブルプリント基板が接続される第１のコネクタと、前記第１のコネクタに接続された前記第１のフレキシブルプリント基板をロックするロック位置と前記ロックを解除するロック解除位置との間で移動可能に前記第１のコネクタに支持されるロック部材と、前記第１のコネクタに対して、前記第１のフレキシブルプリント基板の接続方向に隣接して前記回路基板に実装され、第２のフレキシブルプリント基板が前記第１のコネクタを覆うように接続される第２のコネクタと、を備え、前記ロック部材は、前記ロック解除位置にあるとき、前記第２のコネクタと前記第２のフレキシブルプリント基板との接続を妨げる位置に配置されること特徴とする。
【００１１】
また、本発明の電子機器は、回路基板と、前記回路基板に実装され、第１のフレキシブルプリント基板が接続される第１のコネクタと、前記第１のコネクタに接続された前記第１のフレキシブルプリント基板をロックするロック位置と前記ロックを解除するロック解除位置との間で移動可能に前記第１のコネクタに支持されるロック部材と、前記第１のコネクタに対して、前記第１のフレキシブルプリント基板の接続方向に隣接して前記回路基板に実装され、第２のフレキシブルプリント基板が前記ロック部材の少なくとも一部を覆うように接続される第２のコネクタと、を備え、前記第２のフレキシブルプリント基板には、前記第２のコネクタに対して前記回路基板の板厚方向に嵌合して接続される第３のコネクタが設けられ、前記ロック部材は、前記ロック解除位置にあるとき、前記第２のフレキシブルプリント基板が前記第２のコネクタと前記第３のコネクタとの接続を妨げる位置に配置されること特徴とする。
【発明の効果】
【００１２】
本発明によれば、複数のコネクタの一方のコネクタに接続されるフレキシブルプリント基板によって他方のコネクタが覆われる場合であっても、他方のコネクタが確実にロックされているか否かを容易に確認することができる。
【図面の簡単な説明】
【００１３】
【図１】本発明の電子機器の第１の実施形態であるデジタルカメラの外装カバーを取り外した状態を示す斜視図である。
【図２】図１に示すデジタルカメラの部分拡大平面図である。
【図３】（ａ）は図２のＡ−Ａ線断面図、（ｂ）はコネクタのロック部材がロック解除位置にある状態での断面図である。
【図４】本発明の電子機器の第２の実施形態であるデジタルカメラにおけるコネクタとフレキシブルプリント基板との接続構造を示す断面図である。
【図５】本発明の電子機器の第３の実施形態であるデジタルカメラにおけるコネクタとフレキシブルプリント基板との接続構造を示す斜視図である。
【図６】図５の部分平面図である。
【図７】（ａ）は図６の矢印Ｂ方向から見た図、（ｂ）はコネクタのロック部材がロック解除位置にあるときの図である。
【図８】従来のコネクタとフレキシブルプリント基板との接続構造の一例を示す斜視図である。
【図９】図８の部分側面図である。
【発明を実施するための形態】
【００１４】
以下、本発明の実施形態を図面を参照して説明する。
【００１５】
（第１の実施形態）
図１は本発明の電子機器の第１の実施形態であるデジタルカメラの外装カバーを取り外した状態を示す斜視図、図２は図１に示すデジタルカメラの部分拡大平面図である。
【００１６】
本実施形態のデジタルカメラは、図１及び図２に示すように、被写体側にプリント基板からなる回路基板１００が配置されている。回路基板１００には、フレキシブルプリント基板（以下、ＦＰＣという。）１０１，１０２が接続されるコネクタ２０１，２０２が実装されている。
【００１７】
ここで、コネクタ２０１は、本発明の第１のコネクタの一例に相当し、コネクタ２０２は、本発明の第２のコネクタの一例に相当する。また、ＦＰＣ１０１は、本発明の第１のフレキシブルプリント基板の一例に相当し、ＦＰＣ１０２は、本発明の第２のフレキシブルプリント基板の一例に相当する。
【００１８】
コネクタ２０１，２０２は、ＦＰＣ１０１，１０２の接続方向に沿って互いに隣接して並列配置されている。コネクタ２０２の接続口２０８（図３（ｂ）参照）は、コネクタ２０１の接続口２０７の背面側に対向配置され、接続口２０７（図３（ｂ）参照）より高い位置に配置される。なお、コネクタ２０１とコネクタ２０２の間には、回路基板１００の実装密度を高めるため他の電気素子が実装されないことが望ましい。
【００１９】
コネクタ２０１には、ロック部材２０３がロック解除位置とロック位置とで回動可能に支持され、コネクタ２０２にも同様に、ロック部材２０４がロック解除位置とロック位置とで回動可能に支持されている。
【００２０】
図３（ａ）は図２のＡ−Ａ線断面図、図３（ｂ）はコネクタ２０１のロック部材２０３及びコネクタ２０２のロック部材２０４が共にロック解除位置にある状態での断面図である。
【００２１】
ＦＰＣ１０１をコネクタ２０１に接続する際には、ロック部材２０３を図３（ｂ）に示すロック解除位置まで回動操作してコネクタ２０１のロックを解除し、ＦＰＣ１０１先端に設けられた端子部１０４ａをコネクタ２０１の接続口２０７に挿入する。この状態でロック部材２０３を図３（ａ）に示すロック位置まで回動操作することで、ＦＰＣ１０１がコネクタ２０１に固定されて、電気的に接続される。
【００２２】
ＦＰＣ１０２をコネクタ２０２に接続する際には、ロック部材２０４を図３（ｂ）に示すロック解除位置まで回動操作してコネクタ２０２のロックを解除し、ＦＰＣ１０２先端に設けられた端子部１０４ｂをコネクタ２０２の接続口２０８に挿入する。この状態でロック部材２０４を図３（ａ）に示すロック位置まで回動操作することで、ＦＰＣ１０２がコネクタ２０２に固定されて電気的に接続される。
【００２３】
コネクタ２０２にＦＰＣ１０２を接続した状態では、コネクタ２０２の接続口２０８がコネクタ２０１の接続口２０７の背面側に対向するように配置されるため、ＦＰＣ１０１及びコネクタ２０１は、ＦＰＣ１０２により覆われる。
【００２４】
また、ＦＰＣ１０１，１０２の端子部１０４ａ，１０４ｂの裏面には、補強板１０６ａ，１０６ｂが取り付けられている。補強板１０６ａ，１０６ｂは、ＦＰＣ１０１，１０２のコネクタ２０１，２０２への挿入作業性を良くし、コネクタ２０１，２０２の接触片による接点部の接続信頼性を高めるために設けられる。
【００２５】
ここで、本実施形態では、コネクタ２０２の接続口２０８の回路基板１００からの高さＨ３は、ロック解除位置にあるコネクタ２０１のロック部材２０３の回路基板１００からの高さＨ１よりも低く設定（Ｈ１＞Ｈ３）される。また、高さＨ３は、ロック位置にあるコネクタ２０１のロック部材２０３の回路基板１００からの高さＨ２よりも高く（Ｈ２＜Ｈ３）設定される。
【００２６】
これにより、コネクタ２０１のロック部材２０３がロック解除位置にあるときは、ＦＰＣ１０２の挿入方向から見た場合にロック部材２０３がコネクタ２０２の接続口２０８を塞ぐため、コネクタ２０２にＦＰＣ１０２を挿入することが困難となる。つまり、コネクタ２０１のロック部材２０３がロック解除位置にあるときは、コネクタ２０２とＦＰＣ１０２との接続を妨げることになる。そして、コネクタ２０１のロック部材２０３がロック位置にあるときのみ、コネクタ２０２にＦＰＣ１０２を挿入して電気的に接続することが可能となる。
【００２７】
また、ＦＰＣ１０２の補強板１０６ｂは、コネクタ２０２にＦＰＣ１０２を接続した状態で、コネクタ２０１のロック解除位置（図３（ｂ））にあるロック部材２０３の少なくとも一部に重なる位置まで配置される。これにより、ＦＰＣ１０２がロック解除位置にあるロック部材２０３を乗り越えて不用意にコネクタ２０２に接続されるのを回避することができる。
【００２８】
以上説明したように、本実施形態では、複数のコネクタ２０１，２０２の一方のコネクタ２０２に接続されるＦＰＣ１０２によって他方のコネクタ２０１が覆われる場合でも、他方のコネクタ２０１が確実にロックされているか否かを容易に確認することができる。これにより、コネクタ２０１のロック部材２０３がロックされていない状態で機器の組立工程が進んでしまうのを防止することが可能となる。
【００２９】
（第２の実施形態）.
次に、図４を参照して、本発明の電子機器の第２の実施形態であるデジタルカメラについて説明する。なお、上記第１の実施形態に対して重複又は相当する部分については、同一符号を付してその説明を省略する。
【００３０】
図４（ａ）はコネクタ２０２のガイド用斜面部２２２に沿ってＦＰＣ１０２を挿入する様子を示す断面図、図４（ｂ）はコネクタ２０２に対してＦＰＣ１０２の接続が完了した状態の断面図である。図４（ｃ）は、コネクタ２０１のロック部材２０３がロック解除位置にあるときの断面図である。
【００３１】
本実施形態では、図４に示すように、コネクタ２０２の接続口２０８の上部位置に、ＦＰＣ１０２を図の右斜め上方、即ち、コネクタ２０１に接続されたＦＰＣ１０１に対して角度を有する方向からコネクタ２０２に案内するガイド用斜面部２２２が設けられる。
【００３２】
本実施形態では、コネクタ２０２の接続口２０８の回路基板１００からの高さＨ３は、上記第１の実施形態と同様に、ロック位置にあるコネクタ２０１のロック部材２０３の回路基板１００からの高さＨ２よりも高く（Ｈ２＜Ｈ３）設定される（図４（ｂ））。一方、ロック解除位置にあるコネクタ２０１のロック部材２０３の回路基板１００からの高さＨ４は、図の右斜め上方からコネクタ２０２に挿入されるＦＰＣ１０２の先端が干渉する高さに設定される（図４（ｃ））。
【００３３】
これにより、コネクタ２０１のロック部材２０３がロック解除位置にあるときは、ＦＰＣ１０２の挿入方向から見た場合にロック部材２０３がガイド用斜面部２２２を含む接続口２０８を塞ぐため、コネクタ２０２へのＦＰＣ１０２の挿入が困難となる。つまり、コネクタ２０１のロック部材２０３がロック解除位置にあるときは、コネクタ２０２とＦＰＣ１０２との接続を妨げることになる。そして、コネクタ２０１のロック部材２０３がロック位置にあるときのみ、コネクタ２０２にＦＰＣ１０２を挿入して電気的に接続することが可能となる。その他の構成、及び作用効果は、上記第１の実施形態と同様である。
【００３４】
なお、本実施形態では、コネクタ２０２に対してガイド用斜面部２２２に沿って斜めに挿入されたＦＰＣ１０２は、挿入完了状態では回路基板１００と略平行になる場合を例示したが、挿入完了状態で斜めになる場合であってもよい。
【００３５】
（第３の実施形態）
次に、図５乃至図７を参照して、本発明の電子機器の第３の実施形態であるデジタルカメラについて説明する。なお、上記第１の実施形態に対して重複又は相当する部分については、同一符号を付してその説明を省略する。
【００３６】
図５は、ＦＰＣ１０１がコネクタ２０１に接続され、かつＦＰＣ１０２に実装されたＢｔｏＢコネクタ３０２が回路基板１００に実装されたＢｔｏＢコネクタ３０１に接続されている状態を示す斜視図である。図６は、図５の部分平面図である。図７（ａ）は図６の矢印Ｂ方向から見た図、図７（ｂ）はコネクタ２０１のロック部材２０３がロック解除位置にあるときの図である。
【００３７】
本実施形態では、上記第１の実施形態に対して、ＦＰＣ１０２が幅広に形成され、その先端部に、端子部１０４ｂに代えて、ＢｔｏＢコネクタ３０２が実装されている。また、回路基板１００には、コネクタ２０２に代えて、ＢｔｏＢコネクタ３０１が実装されている。ここで、ＢｔｏＢコネクタ３０２は、本発明の第３のコネクタの一例に相当する。
【００３８】
コネクタ２０１は、回路基板１００のＢｔｏＢコネクタ３０１にＦＰＣ１０２のＢｔｏＢコネクタ３０２が接続された状態で、ＦＰＣ１０２により少なくともロック部材２０３が覆われる位置に実装されている。
【００３９】
ここで、本実施形態では、ロック解除位置にあるロック部材２０３の回路基板１００からの高さＨ１０は、ＢｔｏＢコネクタ３０１の回路基板１００からの高さＨ１２とＢｔｏＢコネクタ３０２のＦＰＣ１０２からの高さＨ１１との合計以上に設定される。即ち、Ｈ１０、Ｈ１１、及びＨ１２の関係は、Ｈ１０≧Ｈ１１＋Ｈ１２となる。
【００４０】
また、回路基板１００のＢｔｏＢコネクタ３０１にＦＰＣ１０２のＢｔｏＢコネクタ３０２が接続された状態での回路基板１００からＦＰＣ１０２までの高さＨ９は、ロック位置にあるロック部材２０３の回路基板１００からの高さＨ８よりも高く設定される。
【００４１】
これにより、コネクタ２０１のロック部材２０３がロック解除位置にあるときは、ＢｔｏＢコネクタ３０１にＢｔｏＢコネクタ３０２を回路基板１００の板厚方向に嵌合して接続しようとすると、ＦＰＣ１０２がロック部材２０３と干渉して、嵌合が困難となる。つまり、コネクタ２０１のロック部材２０３がロック解除位置にあるときは、ＦＰＣ１０２がＢｔｏＢコネクタ３０１とＢｔｏＢコネクタ３０２との接続を妨げることになる。そして、コネクタ２０１のロック部材２０３がロック位置にあるときのみ、回路基板１００のＢｔｏＢコネクタ３０１にＦＰＣ１０２のＢｔｏＢコネクタ３０２を回路基板１００の板厚方向に嵌合して電気的に接続することが可能となる。その他の構成、及び作用効果は、上記第１の実施形態と同様である。
【００４２】
なお、本発明の構成は、上記各実施形態に例示したものに限定されるものではなく、材質、形状、寸法、形態、数、配置箇所等は、本発明の要旨を逸脱しない範囲において適宜変更可能である。
【００４３】
例えば、上記各実施形態では、コネクタに対してロック部材が回動可能に支持される場合を例示したが、これに限定されず、回動以外でロック位置とロック解除位置との間を移動可能なロック部材であってもよい。
【符号の説明】
【００４４】
１００  回路基板
１０１，１０２  ＦＰＣ
１０４ａ，１０４ｂ  端子部
１０６ａ，１０６ｂ  補強板
２０１，２０２  コネクタ
２０３，２０４  ロック部材
２０７，２０８  接続口
【図１】
2015022835.tif 000003
【図２】
2015022835.tif 000004
【図３】
2015022835.tif 000005
【図４】
2015022835.tif 000006
【図５】
2015022835.tif 000007
【図６】
2015022835.tif 000008
【図７】
2015022835.tif 000009
【図８】
2015022835.tif 000010
【図９】
2015022835.tif 000011